(57)【要約】【課題】新旧のエレベータが混在した状態で、既存システムに対する特殊な改造や処理の変更を必要とせずに効率的な運転を実現可能とする。【解決手段】新旧のエレベータが応答する階床を設定する新群用分担ゾーン設定部１５と旧群用分担ゾーン設定部１３を備える。そして、新エレベータ側の乗場呼び釦１が操作されたとき、新群用分担ゾーン設定部１５によって設定された新エレベータの分担情報に基づいて新群管理側で応答すべきか否かを判断して新エレベータを割当てる。また、旧エレベータ側の乗場呼び釦２が操作されたとき、旧群用分担ゾーン設定部１３によって設定された旧エレベータの分担情報に基づいて旧群管理側で応答すべきか否かを判断して旧エレベータを割当てる。これにより、既存システムに対する特殊な改造や処理の変更を必要とせずに、新旧のエレベータが混在した状態での効率的な運転を実現することができる。【選択図】      図１
2006188296.tif 000002
【特許請求の範囲】
【請求項１】
複数の新エレベータを群管理制御する新群管理装置と、複数の旧エレベータを群管理制御する旧群管理装置とを備えたエレベータ群管理システムにおいて、
上記新群管理装置に属する複数の新エレベータと上記旧群管理装置に属する複数の旧エレベータがそれぞれに応答する階床を新旧のエレベータの分担情報として設定する分担設定手段と、
上記新群管理装置側の乗場呼び釦の操作により乗場呼びが登録されたときに、上記分担設定手段によって設定された分担情報に基づいて、その乗場呼びに上記新群管理装置側で応答すべきか否かを判断する第１の乗場呼び制御手段と、
この第１の乗場呼び制御手段によって上記新群管理装置側で応答すべきと判断された場合に、その乗場呼びのあった階床に上記複数の新エレベータの中から最適なエレベータを割り当てる第１の割当制御手段と、
上記旧群管理装置側の乗場呼び釦の操作により乗場呼びが登録されたときに、上記分担設定手段によって設定された分担情報に基づいて、その乗場呼びに上記旧群管理装置側で応答すべきか否かを判断する第２の乗場呼び制御手段と、
この第２の乗場呼び制御手段によって上記旧群管理装置側で応答すべきと判断された場合に、その乗場呼びのあった階床に上記複数の旧エレベータの中から最適なエレベータを割り当てる第２の割当制御手段と
を具備したことを特徴とするエレベータ群管理システム。
【請求項２】
上記分担設定手段は、新旧のエレベータのうちの一方が高層ゾーンに属する各階床、他方が低層ゾーンに属する各階床に応答するように分担情報を設定することを特徴とする請求項１記載のエレベータ群管理システム。
【請求項３】
上記分担設定手段は、新旧のエレベータが各階床に交互に応答するように分担情報を設定することを特徴とする請求項１記載のエレベータ群管理システム。
【請求項４】
上記分担設定手段は、特定の階床のみ新旧のエレベータの両方が応答するように分担情報を設定することを特徴とする請求項１記載のエレベータ群管理システム。
【請求項５】
上記第１および第２の乗場呼び制御手段は、
互いに自分側の乗場呼び釦の操作によって登録された乗場呼びの登録情報を相手側へ転送する手段と、
相手側の乗場呼びの登録情報を受け取ったときに、自分側の乗場呼び釦が操作された場合と同様に上記分担情報に基づいて当該乗場呼びに対する応答判断を行う手段と
を有することを特徴とする請求項１記載のエレベータ群管理システム。
【請求項６】
上記第１および第２の乗場呼び制御手段は、
互いに自分側の乗場呼び釦の操作によって登録された乗場呼びの登録情報を相手側へ転送する手段と、
自分側の乗場呼び釦が操作されたとき、または、上記相手側の乗場呼びの登録情報を受け取ったときに、当該階床の乗場呼び釦を点灯制御する手段と
を有することを特徴とする請求項１記載のエレベータ群管理システム。
【請求項７】
上記第１および第２の乗場呼び制御手段は、
互いに自分側の乗場呼び釦の操作によって登録された乗場呼びを消去した情報を相手側へ転送する手段と、
自分側の乗場呼びを消去したとき、または、上記相手側の乗場呼びの消去情報を受け取ったときに、当該階床の乗場呼び釦を消灯制御する手段と
を有することを特徴とする請求項１記載のエレベータ群管理システム。
【請求項８】
上記新群管理装置または上記群管理装置による乗場呼びの応答時間に基づいて運転サービスが低下している階床を判断し、その階床に対する新旧のエレベータの分担情報を変更するように上記分担設定手段を制御する呼び登録検出手段をさらに備えたことを特徴とする請求項１記載のエレベータ群管理システム。
【発明の詳細な説明】
【技術分野】
【０００１】
本発明は、複数台のエレベータを有する群管理システムに係り、特にリニューアル工事期間中に新旧の複数台のエレベータが混在する状態で運転制御を行う場合に用いて好適なエレベータ群管理システムに関する。
【背景技術】
【０００２】
複数台のエレベータを有する群管理システムにおいて、リニューアル工事期間中は、新設されたエレベータ（以下、新エレベータと称す）と既存のエレベータ（以下、旧エレベータと称す）が混在した状態にある。
【０００３】
従来、このような新旧の複数台のエレベータが混在する状態で運転制御を行う方法として、以下のような方法が知られている。
【０００４】
（１）第１の方法として、新群管理装置と旧群管理装置が同一バンク内に存在するシステムにおいて、新群管理装置は新エレベータ、旧群管理装置は旧エレベータを独立して管理するといった一般的な方法である。この場合、乗場呼び釦は、新旧で個別に設置される。そして、乗場呼びが登録された側の群管理装置の制御によって最適なエレベータが割当てられる。
【０００５】
（２）第２の方法として、例えば特許文献１に開示されている方法がある。すなわち、新群管理装置と旧群管理装置を信号線で接続して互いに連携可能な構成とする。そして、各階床の乗場呼びに対して、新群管理装置が新旧のエレベータの運転状態を把握し、旧エレベータが最適な状態にある場合には旧エレベータに割当て、旧エレベータが最適な状態にない場合には新エレベータに乗場呼びを割当てる。
【０００６】
（３）第３の方法として、例えば特許文献２に開示されている方法がある。すなわち、上記（２）と同様に新旧の２つの群管理装置を連携させた構成において、一方の群管理装置に乗場呼びが発生した場合に、その群管理装置がサービス評価を行い、最適でないと判断した場合に、他方の群管理装置に対して応援要請を行うというものである。
【特許文献１】特開２００１−１９２８８号公報
【特許文献２】特開２００４−５１２８４号公報
【発明の開示】
【発明が解決しようとする課題】
【０００７】
しかしながら、上述したような第１〜３の方法には、それぞれに以下のような問題がある。
【０００８】
（１）上記第１の方法では、新旧の群管理装置が完全に独立した状態で設置されている。このため、例えば各階床で新エレベータ側の乗場呼び釦だけが押された場合には、そのすべての階の乗場呼びに新群管理装置だけ応答しなくてはならず、運転サービスが著しく低下することになる。また、同じ階床で新旧両方の乗場呼び釦が押された場合には、その階床に対して新旧両方のエレベータが１台ずつ応答することになるため、全体の運転効率として無駄が生じる、といった問題もある。
【０００９】
（２）上記第２の方法は、新設システムである新群管理装置が新旧両方のエレベータの乗場呼びを統括制御して最適なエレベータを判断するため、一方のエレベータにサービスが偏るようなことはない。しかしながら、新群管理装置が常に新旧両方のエレベータの状態を把握する必要があるため、処理負担が大きく、乗場呼びの発生から最適なエレベータを割り当てるまでに時間を要するなどの問題がある。また、既存システムである旧群管理装置を新群管理装置と連動させなければならないため、ハード的にもソフト的にも大がかりな改造が必要となる。
【００１０】
（３）上記第３の方法は、新旧の群管理装置が互いに連携し合って乗場呼びに対する最適なエレベータの割当て制御を行う。しかし、新旧の群管理装置のそれぞれが互いのエレベータの状態を把握する必要があるため、処理に時間を要すると共に上記（２）と同様に既存システムである旧群管理装置の改造工事も必要となるなどの問題がある。
【００１１】
本発明の上記のような点に鑑みなされたもので、新旧のエレベータが混在した状態で、既存システムに対する特殊な改造や処理の変更を必要とせずに効率的な運転を実現可能とするエレベータ群管理システムを提供することを目的とする。
【課題を解決するための手段】
【００１２】
本発明のエレベータ群管理システムは、複数の新エレベータを群管理制御する新群管理装置と、複数の旧エレベータを群管理制御する旧群管理装置とを備えたエレベータ群管理システムにおいて、上記新群管理装置に属する複数の新エレベータと上記旧群管理装置に属する複数の旧エレベータがそれぞれに応答する階床を新旧のエレベータの分担情報として設定する分担設定手段と、上記新群管理装置側の乗場呼び釦の操作により乗場呼びが登録されたときに、上記分担設定手段によって設定された分担情報に基づいて、その乗場呼びに上記新群管理装置側で応答すべきか否かを判断する第１の乗場呼び制御手段と、この第１の乗場呼び制御手段によって上記新群管理装置側で応答すべきと判断された場合に、その乗場呼びのあった階床に上記複数の新エレベータの中から最適なエレベータを割り当てる第１の割当制御手段と、上記旧群管理装置側の乗場呼び釦の操作により乗場呼びが登録されたときに、上記分担設定手段によって設定された分担情報に基づいて、その乗場呼びに上記旧群管理装置側で応答すべきか否かを判断する第２の乗場呼び制御手段と、この第２の乗場呼び制御手段によって上記旧群管理装置側で応答すべきと判断された場合に、その乗場呼びのあった階床に上記複数の旧エレベータの中から最適なエレベータを割り当てる第２の割当制御手段とを具備して構成される。
【００１３】
このような構成によれば、予め新旧のエレベータが応答する階床を設定しておくことで、既存システムに対する特殊な改造や処理の変更を必要とせずに、新旧のエレベータが混在した状態での効率的な運転を実現することができる。
【００１４】
また、上記エレベータ群管理システムにおいて、上記分担設定手段は、新旧のエレベータのうちの一方が高層ゾーンに属する各階床、他方が低層ゾーンに属する各階床に応答するように分担情報を設定することを特徴とする。これにより、新旧のエレベータを高層ゾーンに属する各階床と低層ゾーンに属する各階床とに分けて応答させることができる。
【００１５】
また、上記エレベータ群管理システムにおいて、上記分担設定手段は、新旧のエレベータが各階床に交互に応答するように分担情報を設定することを特徴とする。これにより、新旧のエレベータを各階床毎に交互に応答させることができる。
【００１６】
また、上記エレベータ群管理システムにおいて、上記分担設定手段は、特定の階床のみ新旧のエレベータの両方が応答するように分担情報を設定することを特徴とする。これにより、新旧のエレベータの両方を特定の階床に応答させることができる。
【００１７】
また、上記エレベータ群管理システムにおいて、上記第１および第２の乗場呼び制御手段は、互いに自分側の乗場呼び釦の操作によって登録された乗場呼びの登録情報を相手側へ転送する手段と、相手側の乗場呼びの登録情報を受け取ったときに、自分側の乗場呼び釦が操作された場合と同様に上記分担情報に基づいて当該乗場呼びに対する応答判断を行う手段とを有することを特徴とする。
【００１８】
このような構成によれば、相手側の乗場呼びの登録情報を受け取ったときに、自分の群管理装置側の乗場呼び釦が押された場合と同一の処理を行うことで、ある階床で、新旧どちらの乗場呼び釦が押された場合でも応答することができる。
【００１９】
また、上記エレベータ群管理システムにおいて、上記第１および第２の乗場呼び制御手段は、互いに自分側の乗場呼び釦の操作によって登録された乗場呼びの登録情報を相手側へ転送する手段と、自分側の乗場呼び釦が操作されたとき、または、上記相手側の乗場呼びの登録情報を受け取ったときに、当該階床の乗場呼び釦を点灯制御する手段とを有することを特徴とする。
【００２０】
このような構成によれば、乗場呼びが登録された階床が新旧どちらかの分担階であったとしても、新旧両方のエレベータの乗場呼び釦を点灯させることができる。
【００２１】
また、上記エレベータ群管理システムにおいて、上記第１および第２の乗場呼び制御手段は、互いに自分側の乗場呼び釦の操作によって登録された乗場呼びを消去した情報を相手側へ転送する手段と、自分側の乗場呼びを消去したとき、または、上記相手側の乗場呼びの消去情報を受け取ったときに、当該階床の乗場呼び釦を消灯制御する手段とを有することを特徴とする。
【００２２】
このような構成によれば、一方の群管理装置側で乗場呼びが消去された際に、その群管理装置側の当該階床の乗場呼び釦と共に、他方の群管理装置側の当該階床の乗場呼び釦を消灯させることができる。
【００２３】
また、上記エレベータ群管理システムにおいて、上記新群管理装置または上記群管理装置による乗場呼びの応答時間に基づいて運転サービスが低下している階床を判断し、その階床に対する新旧のエレベータの分担情報を変更するように上記分担設定手段を制御する呼び登録検出手段をさらに備えたことを特徴とする。
【００２４】
このような構成によれば、運転サービスが低下している階床に対する新旧エレベータの分担情報を適宜変更することで、効率的な運転を行うことができる。
【発明の効果】
【００２５】
本発明によれば、例えばエレベータのリニューアル工事期間中など、新旧のエレベータが混在した状態において、新旧のエレベータが応答する階床を予め設定しておき、その設定に従って新旧の群管理装置がそれぞれに乗場呼びの割り当てを個別に行うことで、既存システムである旧群管理装置に対する特殊な改造や処理の変更を必要とせずに効率的な運転を実現できる。
【発明を実施するための最良の形態】
【００２６】
まず、本発明のエレベータ群管理システムが適用されるエレベータバンクの構成について説明する。
【００２７】
図２はそのエレベータバンクの一例を示す図である。図中の１は新エレベータ側の乗場呼び釦、２は旧エレベータ側の乗場呼び釦であり、どちらの釦も乗場にエレベータを呼ぶための操作手段として用いられるものである。この乗場呼び釦１，２は、行先方向の指定釦を兼ねていると共に、エレベータ応答時に点灯する応答灯を有する。なお、斜線で示す部分は工事中を表している。
【００２８】
今、エレベータのリニューアル工事期間中にあり、新旧のエレベータが混在した状態にあるとする。図２の例では、Ａ機〜Ｆ号機の６台のエレベータを１台ずつリニューアルして、現在、新エレベータ３台（Ａ〜Ｃ号機）、工事中１台（Ｆ号機）、旧エレベータが２台（Ｄ、Ｅ号機）という状態を示している
以下では、このようなリニューアル工事期間中における新旧のエレベータが混在した状態を前提として本発明の各実施形態について説明する。
【００２９】
（第１の実施形態）
図１は本発明の第１の実施形態に係るエレベータ群管理システムの構成を示す図である。この例では、図２に示す６台（Ａ号機〜Ｆ号機）のエレベータを有し、これらのエレベータの停止階床数が２０階とした場合の構成が示されている。なお、途中階や同一構成が複数存在する部分については一部分のみ図示し、その他は省略してある。
【００３０】
図１に示すように、本発明のエレベータ群管理システム１０は、新群管理制御装置１１と、旧群管理制御装置１２と、旧群用分担ゾーン設定部１３と、旧群用乗場呼び制御部１４とで構成される。
【００３１】
新群管理制御装置１１および旧群管理制御装置１２は、汎用のコンピュータからなり、それぞれに所定のプログラムの起動により群管理処理を実行する。このうち、新群管理制御装置１１は、新設システムとして新たに設置されたものである。この新群管理制御装置１１は、新エレベータ（Ａ〜Ｃ号機）の単体制御装置３に接続されている。この単体制御装置３は、新群管理制御装置１１に属する複数台の新エレベータ毎に設けられており、新群管理制御装置１１の制御の下で乗りかご４の運転制御などを行う。
【００３２】
旧群管理制御装置１２は、既存システムとして既に設置されているものである。この旧群管理制御装置１２は、旧エレベータ（Ｄ、Ｅ号機）の単体制御装置５に接続されている。この単体制御装置５は、旧群管理制御装置１２に属する複数台の旧エレベータ毎に設けられており、旧群管理制御装置１２の制御の下で乗りかご６の運転制御などを行う。
【００３３】
また、新群管理制御装置１１は、新群用分担ゾーン設定部１５、新群用乗場呼び制御部１６、新群用乗場呼び登録部１７、新群用割当制御部１８を備える。
【００３４】
新群用分担ゾーン設定部１５は、分担設定用のテーブルＴＢを有し、新エレベータが応答する階床を設定する処理を行う。なお、このテーブルＴＢについては、後に図３を参照して詳しく説明する。新群用乗場呼び制御部１６は、乗場呼びが発生した場合に新群用分担ゾーン設定部１５によって設定された新エレベータの分担情報に基づいて、新群管理側で応答すべきか否かを判断する。新群用乗場呼び登録部１７は、新群管理側で応答すべきと判断された場合に当該乗場呼びの情報を新群管理用として登録する。新群用割当制御部１８は、新群用乗場呼び登録部１７に登録された乗場呼びに対し、新群管理制御装置１１に属する複数台の新エレベータの中から最適なエレベータを割り当てる制御を行う。
【００３５】
一方、旧群管理制御装置１２は、旧群用乗場呼び登録部１９および旧群用割当制御部２０を備える。
【００３６】
旧群用乗場呼び登録部１９は、旧群用乗場呼び制御部１４によって旧群管理側で応答すべきと判断された乗場呼びの情報を旧群管理用として登録する。旧群用割当制御部２０は、旧群用乗場呼び登録部１９に登録された乗場呼びに対し、旧群管理制御装置１２に属する複数台の旧エレベータの中から最適なエレベータを割り当てる制御を行う。
【００３７】
また、旧群用分担ゾーン設定部１３および旧群用乗場呼び制御部１４は、既存の旧群管理制御装置１２とは別にリニューアル用として設けられたものである。旧群用分担ゾーン設定部１３は、新群用分担ゾーン設定部１５と共通にテーブルＴＢを有し、旧エレベータが応答する階床を設定する。旧群用乗場呼び制御部１４は、乗場呼びが発生した場合に、旧群用分担ゾーン設定部１３によって設定された旧エレベータの分担情報に基づいて、旧群管理側にて応答すべきか否かを判断する。
【００３８】
図３は新群用分担ゾーン設定部１５および旧群用分担ゾーン設定部１３に備えられる新旧エレベータの分担設定用のテーブルＴＢの基本設定例を示す図であり、エレベータの停止階床数を２０階とした場合の設定例を示している。図中の白抜きの三角印は、エレベータホールに設置された乗場呼び釦の基本的な配置を示している。また、黒塗りの三角印は、新旧それぞれのエレベータが乗場呼びに応答する階床を示している。
【００３９】
このテーブルＴＢは、新旧のエレベータが応答する階床を分担情報として記憶したものである。図３の例では、低層ゾーンに属する階床（１階〜１０階）は旧エレベータが、高層ゾーンに属する階床（１１階〜２０階）は新エレベータが応答するように設定されている。
【００４０】
なお、かご呼び（乗りかご内の行先階釦の押下による呼び）については新旧のエレベータに関係なく、すべての階床が登録対象である。例えば、新エレベータの乗りかご４内で１階の行先釦を押下すれば、その乗りかご４は１階へ行くことになり、到着時に乗り込むことも可能である。
【００４１】
以下に、このような新旧混在のエレベータに対する群管理処理について、詳しく説明する。
【００４２】
図４は本発明の第１の実施形態におけるエレベータ群管理システムの群管理処理を示すフローチャートである。
【００４３】
各階床のエレベータホールにおいて、乗客が新エレベータ側の乗場呼び釦１を押下した場合には、その乗場呼びの信号は新群用乗場呼び制御部１６に与えられる。一方、乗客が旧エレベータ側の乗場呼び釦２を押下した場合には、その乗場呼びの信号は旧群用乗場呼び制御部１４に与えられる。新群用乗場呼び制御部１６および旧群用乗場呼び制御部１４では、それぞれに自分側の乗場呼び釦の押下操作による乗場呼びの信号を受けたときに、それが自分側で応答すべきか否かを判断する。
【００４４】
すなわち、新群管理側に着目して説明すると、新群用乗場呼び制御部１６は、新エレベータ側の乗場呼び釦１が押されたか否かを判断する（ステップＳＴ１１）、新エレベータ側の乗場呼び釦１が押された場合には（ステップＳＴ１１のＹｅｓ）、新群用乗場呼び制御部１６は新群用分担ゾーン設定部１５によって設定された新エレベータの分担情報に基づいて、当該乗場呼びに対して自分側つまり新エレベータで応答すべきか否かを判断する（ステップＳＴ１２）。
【００４５】
ここで、新エレベータで応答すべきものと判断した場合、つまり、図３のテーブルＴＢの例で言えば、１１階〜２０階のいずれかの階床で乗場呼びがあった場合に（ステップＳＴ１２のＹｅｓ）、新群用乗場呼び制御部１６は新群用乗場呼び登録部１７に当該乗場呼びの情報を登録する（ステップＳＴ１３）。
【００４６】
以後は、新群用割当制御部１８によって、新エレベータ（ここではＡ〜Ｃ号機の３台）の中で最適なエレベータが割り当てられ、そのエレベータの乗りかご４が当該階床に向かうことになる。なお、乗場呼びに対するエレベータの割当て方法については、一般的に知られている方法を用いるものとする。一般的には、例えば各エレベータの乗りかごの位置や方向などの情報に基づいて評価値を求め、最も高い評価値を有するエレベータを最適号機として割り当てる方法などが用いられる。
【００４７】
旧群管理側についても同様である。  
すなわち、旧エレベータ側の乗場呼び釦２が押された場合には（ステップＳＴ１１のＹｅｓ）、旧群用乗場呼び制御部１４が旧群用分担ゾーン設定部１３によって設定された旧エレベータの分担情報に基づいて、自分側つまり旧エレベータで応答すべきか否かを判断する（ステップＳＴ１２）。この場合、旧群用分担ゾーン設定部１３での設定内容は新群用分担ゾーン設定部１５と同じであり、共通のテーブルＴＢを用いて新旧のエレベータの分担が決められている。
【００４８】
ここで、旧エレベータで応答すべきものと判断した場合、つまり、図３のテーブルＴＢの例で言えば、１階〜１０階のいずれかの階床で乗場呼びがあった場合に（ステップＳＴ１２のＹｅｓ）、旧群用乗場呼び制御部１４は旧群用乗場呼び登録部１９に対して当該階床の乗場呼びを登録する（ステップＳＴ１３）。
【００４９】
以後は、旧群用割当制御部２０によって、旧エレベータ（ここではＤ，Ｅ号機の２台）の中で最適なエレベータが割り当てられ、そのエレベータの乗りかご６が当該階床に向かうことになる。
【００５０】
このように、新旧のエレベータが応答する階床を予め設定しておき、新旧の群管理装置１１、１２がそれぞれに自分の階床の乗場呼びに対して個別に処理を行うようにしたことで、それぞれの処理負担を軽減でき、各階床での乗場呼びに対して最適なエレベータを迅速に応答させることが可能となる。
【００５１】
また、システムの構成としても、旧エレベータ側の乗場呼び釦２から信号線を新たに設けた旧群用乗場呼び制御部１４を中継させるように配線するだけで対応できるため、既存システムである旧群管理制御装置１２に大きな改造や処理の変更を必要としないといった利点がある。
【００５２】
なお、上記実施形態では、図３に示すように、新旧のエレベータの一方が高層ゾーンに属する各階床、他方が低層ゾーンに属する各階床に応答するように分担情報を設定したが、その設定方法はこれに限るものではない。
【００５３】
例えば、図５に示すように新エレベータと旧エレベータの分担階を交互に設定することでも良い。図５の例では、旧エレベータが奇数階（１，３，５…）、新エレベータが偶数階（２，４，６…）の乗場呼びに応答するように設定されている。このように交互に設定しておくメリットとしては、新群管理側であれば、２階で乗場呼びがあった場合に４階で待機しているエレベータを応答させ、旧群管理側であれば、１階で乗場呼びがあった場合に３階で待機しているエレベータを応答させるといったように、近くに待機している自分側のエレベータを乗場呼びに素早く応答させることができることである。
【００５４】
また、この他に、図６に示すように、特定の階床（ここでは１階）については新旧の両方のエレベータを応答させるような設定であっても良い。このように特定階を重複設定しておくメリットとしては、例えば多数の乗客が集中する１階などについては新旧の両方のエレベータで対応することで、運搬効率を上げることができる。なお、重複設定する階床は１つに限らず、多数であっても良い。
【００５５】
（第２の実施形態）
次に、本発明の第２の実施形態について説明する。
【００５６】
第２の実施形態では、新群管理側と旧群管理側で互いに自分側の乗場呼び釦にて登録された乗場呼びの登録情報を相手側へ出力し、かつ、相手側から乗場呼びの登録情報を受け取った場合に、自分側の乗場呼び釦が押された場合と同一の処理を行うようにしたものである。
【００５７】
なお、システム構成については、基本的に図１と同様である。新群用乗場呼び制御部１６は、新エレベータ側の乗場呼び釦１の押下によって登録された乗場呼びの登録情報を旧群用乗場呼び制御部１４に対して転送する機能を有する。また、第２の実施形態において、この新群用乗場呼び制御部１６は、新エレベータ側の乗場呼び釦１が押下されたとき、または、旧群用乗場呼び制御部１４から乗場呼びの登録情報を受け取ったときに、新群用分担ゾーン設定部１５の設定により当該乗場呼びを新群管理側のエレベータにて応答すべきか否かを判断する機能を有する。
【００５８】
旧群用乗場呼び制御部１４は、旧エレベータ側の乗場呼び釦２によって登録された乗場呼びの登録情報を新群用乗場呼び制御部１６に対して転送する機能を有する。また、第２の実施形態において、この旧群用乗場呼び制御部１４は、旧エレベータ側の乗場呼び釦２が押下されたとき、または、新群用乗場呼び制御部１６から乗場呼びの登録情報を受け取ったときに、旧群用分担ゾーン設定部１３の設定により当該乗場呼びを旧群管理側にて応答すべきか否かを判断する機能を有する。
【００５９】
以下に、第２の実施形態の動作について説明する。  
図７は本発明の第２の実施形態におけるエレベータ群管理システムの群管理処理を示すフローチャートである。
【００６０】
今、新群管理側に着目して説明すると、まず、新群用乗場呼び制御部１６は、相手側である旧群用乗場呼び制御部１４から乗場呼びの登録情報を受信したか否かを確認する（ステップＳＴ２１）。旧群用乗場呼び制御部１４から乗場呼びの登録情報を受信した場合には（ステップＳＴ２１のＹｅｓ）、ステップＳＴ２４へ進む。
【００６１】
一方、旧群用乗場呼び制御部１４から乗場呼びの登録情報を受信していない場合には（ステップＳＴ２１のＮｏ）、新群用乗場呼び制御部１６は、新エレベータ側の乗場呼び釦１が押下されたか否かを判断する（ステップＳＴ２２）。乗場呼び釦１が押されていた場合には（ステップＳＴ２２のＹｅｓ）、新群用乗場呼び制御部１６は、相手側つまり旧群用乗場呼び制御部１４に自分が受けた乗場呼びの登録情報を渡す（ステップＳＴ２３）。この乗場呼びの登録情報には、乗場呼びが登録された階床の情報に加えてＵＰ方向もしくはＤＯＷＮ方向の行先方向を示す情報が含まれる。
【００６２】
続いて、新群用乗場呼び制御部１６は、新群用分担ゾーン設定部１５によって設定された新エレベータの分担情報に基づいて、自分側のエレベータつまり新エレベータで応答すべきか否かを判断する（ステップＳＴ２４）。新エレベータで応答すべきものでないと判断した場合には（ステップＳＴ２４のＮｏ）、ここでの処理を終える。
【００６３】
また、新エレベータで応答すべきものと判断した場合には（ステップＳＴ２４のＹｅｓ）、新群用乗場呼び制御部１６は、新エレベータ側の乗場呼び釦１の応答灯を点灯させた後（ステップＴ２５）、新群用乗場呼び登録部１７に当該階床の乗場呼びを登録する（ステップＳＴ２６）。
【００６４】
旧群管理側についても同様である。  
すなわち、まず、旧群用乗場呼び制御部１４は、相手側である新群用乗場呼び制御部１６から乗場呼びの登録情報を受信したか否かを確認する（ステップＳＴ２１）。新群用乗場呼び制御部１６から乗場呼びの登録情報を受信した場合には（ステップＳＴ２１のＹｅｓ）、ステップＳＴ２４へ進む。
【００６５】
一方、新群用乗場呼び制御部１６から乗場呼びの登録情報を受信していない場合には（ステップＳＴ２１のＮｏ）、旧群用乗場呼び制御部１４は、旧エレベータ側の乗場呼び釦２が押下されたか否かを判断する（ステップＳＴ２２）。乗場呼び釦２が押されていた場合には（ステップＳＴ２２のＹｅｓ）、旧群用乗場呼び制御部１４は、相手側つまり新群用乗場呼び制御部１６に自分が受けた乗場呼びの登録情報を渡す（ステップＳＴ２３）。この乗場呼びの登録情報には、乗場呼びが登録された階床の情報に加えてＵＰ方向もしくはＤＯＷＮ方向の行先方向を示す情報が含まれる。
【００６６】
続いて、旧群用乗場呼び制御部１４は、旧群用分担ゾーン設定部１３によって設定された旧エレベータの分担情報に基づいて、自分側のエレベータつまり旧エレベータで応答すべきか否かを判断する（ステップＳＴ２４）。この場合、旧群用分担ゾーン設定部１３での設定内容は新群用分担ゾーン設定部１５と同じであり、共通のテーブルＴＢを用いて新旧のエレベータの分担が決められている。旧エレベータで応答すべきものでないと判断した場合には（ステップＳＴ２４のＮｏ）、ここでの処理を終える。
【００６７】
また、旧エレベータで応答すべきものと判断した場合には（ステップＳＴ２４のＹｅｓ）、旧群用乗場呼び制御部１４は、旧エレベータ側の乗場呼び釦２の応答灯を点灯させた後（ステップＴ２５）、旧群用乗場呼び登録部１９に当該階床の乗場呼びを登録する（ステップＳＴ２６）。
【００６８】
このように、第２の実施形態による手法を用いれば、相手側の乗場呼びの登録情報を受け取ったときに、自分の群管理装置側の乗場呼び釦が押された場合と同一の処理を行うことで、ある階床で、新旧どちらの乗場呼び釦が押下された場合であっても応答することができる。
【００６９】
（第３の実施形態）
次に、本発明の第３の実施形態について説明する。
【００７０】
第３の実施形態では、新旧のエレベータの分担階に関係なく、乗場呼びのあった階床における新旧両方の乗場呼び釦を点灯制御するものである。
【００７１】
なお、システム構成については、基本的に図１と同様である。新群用乗場呼び制御部１６は、新エレベータ側の乗場呼び釦１の押下によって登録された乗場呼びの登録情報を旧群用乗場呼び制御部１４に対して出力する機能を有する。また、第３の実施形態において、この新群用乗場呼び制御部１６は、新エレベータ側の乗場呼び釦１が押下されたとき、または、旧群用乗場呼び制御部１４から乗場呼びの登録情報を受け取ったときに、新群用分担ゾーン設定部１５の設定により当該乗場呼びを新群管理側のエレベータにて応答すべきか否かを判断する機能を有する。さらに、この新群用乗場呼び制御部１６は、旧群用乗場呼び制御部１４から乗場呼びの登録情報を受け取ったときに、自分側の乗場呼び釦を点灯制御する機能を有する。
【００７２】
旧群用乗場呼び制御部１４は、旧エレベータ側の乗場呼び釦２によって登録された乗場呼びの登録情報を新群用乗場呼び制御部１６に対して出力する機能を有する。また、第３の実施形態において、この旧群用乗場呼び制御部１４は、旧エレベータ側の乗場呼び釦２が押下されたとき、または、新群用乗場呼び制御部１６から乗場呼びの登録情報を受け取ったときに、旧群用分担ゾーン設定部１３の設定により当該乗場呼びを旧群管理側にて応答すべきか否かを判断する機能を有する。さらに、この旧群用乗場呼び制御部１４は、新群用乗場呼び制御部１６から乗場呼びの登録情報を受け取ったときに、自分側の乗場呼び釦を点灯制御する機能を有する。
【００７３】
以下に、第３の実施形態の動作について説明する。  
図８は本発明の第３の実施形態におけるエレベータ群管理システムの群管理処理を示すフローチャートである。
【００７４】
今、新群管理側に着目して説明すると、まず、新群用乗場呼び制御部１６は、相手側である旧群用乗場呼び制御部１４から乗場呼びの登録情報を受信したか否かを確認する（ステップＳＴ３１）。旧群用乗場呼び制御部１４から乗場呼びの登録情報を受信した場合には（ステップＳＴ３１のＹｅｓ）、新群用乗場呼び制御部１６は、該当する新エレベータ側の乗場呼び釦１の応答灯を点灯させてから（ステップＳＴ３２）、ステップＳＴ３６へ進む。
【００７５】
具体的に説明すると、今、図３のテーブルＴＢに示すような分担であった場合に、旧群用乗場呼び制御部１４から１階の乗場呼びの登録情報が送られて来ると、新群用乗場呼び制御部１６では、１階に設置された新エレベータ側の乗場呼び釦１を点灯する。これにより、新旧のエレベータに関係なく、乗場呼びのあった１階のすべての乗場呼び釦を点灯することができる。
【００７６】
一方、旧群用乗場呼び制御部１４から乗場呼びの登録情報を受信していない場合には（ステップＳＴ３１のＮｏ）、新群用乗場呼び制御部１６は、新エレベータ側の乗場呼び釦１が押下されたか否かを判断する（ステップＳＴ３３）。乗場呼び釦１が押されていた場合には（ステップＳＴ３３のＹｅｓ）、新群用乗場呼び制御部１６は、新エレベータ側の乗場呼び釦１を点灯させてから（ステップＳＴ３４）、相手側つまり旧群用乗場呼び制御部１４に自分が受けた乗場呼びの登録情報を渡す（ステップＳＴ３５）。この乗場呼びの登録情報には、乗場呼びが登録された階床の情報に加えてＵＰ方向もしくはＤＯＷＮ方向の行先方向を示す情報が含まれる。
【００７７】
続いて、新群用乗場呼び制御部１６は、新群用分担ゾーン設定部１５によって設定された新エレベータの分担情報に基づいて、自分側のエレベータつまり新エレベータで応答すべきか否かを判断する（ステップＳＴ３６）。新エレベータで応答すべきものでないと判断した場合には（ステップＳＴ３６のＮｏ）、ここでの処理を終える。
【００７８】
また、新エレベータで応答すべきものと判断した場合には（ステップＳＴ３６のＹｅｓ）、新群用乗場呼び制御部１６は、新群用乗場呼び登録部１７に当該階床の乗場呼びを登録する（ステップＳＴ３７）。
【００７９】
旧群管理側についても同様である。  
すなわち、まず、旧群用乗場呼び制御部１４は、相手側である新群用乗場呼び制御部１６から乗場呼びの登録情報を受信したか否かを確認する（ステップＳＴ３１）。新群用乗場呼び制御部１６から乗場呼びの登録情報を受信した場合には（ステップＳＴ３１のＹｅｓ）、旧群用乗場呼び制御部１４は、該当する旧エレベータ側の乗場呼び釦２の応答灯を点灯させてから（ステップＳＴ３２）、ステップＳＴ３６へ進む。
【００８０】
具体的に説明すると、今、図３のテーブルＴＢに示すような分担であった場合に、新群用乗場呼び制御部１６から１１階の乗場呼びの登録情報が送られて来ると、旧群用乗場呼び制御部１４では、１１階に設置された旧エレベータ側の乗場呼び釦２を点灯する。これにより、新旧のエレベータに関係なく、乗場呼びのあった１１階のすべての乗場呼び釦を点灯することができる。
【００８１】
一方、新群用乗場呼び制御部１６から乗場呼びの登録情報を受信していない場合には（ステップＳＴ３１のＮｏ）、旧群用乗場呼び制御部１４は、旧エレベータ側の乗場呼び釦２が押下されたか否かを判断する（ステップＳＴ３３）。乗場呼び釦２が押されていた場合には（ステップＳＴ３３のＹｅｓ）、旧群用乗場呼び制御部１４は、旧エレベータ側の乗場呼び釦２を点灯させてから（ステップＳＴ３４）、相手側つまり新群用乗場呼び制御部１６に自分が受けた乗場呼びの登録情報を渡す（ステップＳＴ３５）。この乗場呼びの登録情報には、乗場呼びが登録された階床の情報に加えてＵＰ方向もしくはＤＯＷＮ方向の行先方向を示す情報が含まれる。
【００８２】
続いて、旧群用乗場呼び制御部１４は、旧群用分担ゾーン設定部１３によって設定された旧エレベータの分担情報に基づいて、自分側のエレベータつまり旧エレベータで応答すべきか否かを判断する（ステップＳＴ３６）。旧エレベータで応答すべきものでないと判断した場合には（ステップＳＴ３６のＮｏ）、ここでの処理を終える。
【００８３】
また、旧エレベータで応答すべきものと判断した場合には（ステップＳＴ３６のＹｅｓ）、旧群用乗場呼び制御部１４は、旧群用乗場呼び登録部１９に当該階床の乗場呼びを登録する（ステップＳＴ３７）。
【００８４】
このように、第３の実施形態による手法を用いれば、乗場呼びが登録された階床が新旧どちらかの分担階であったとしても、新旧両方のエレベータの乗場呼び釦を点灯させることができる。
【００８５】
（第４の実施形態）
次に、本発明の第４の実施形態について説明する。
【００８６】
第４の実施形態では、新旧のエレベータの分担階に関係なく、乗場呼びのあった階床にエレベータが応答したときに、当該階床における新旧両方の乗場呼び釦を消灯制御するものである。
【００８７】
なお、システム構成については、基本的に図１と同様である。第４の実施形態において、新群用乗場呼び制御部１６は、乗場呼びに対して新エレベータを応答させたときに、その乗場呼びの消去と新エレベータ側の乗場呼び釦１の応答灯を消灯すると共に、相手側である旧群用乗場呼び制御部１４に乗場呼びを消去したことを示す情報を送信する機能を有する。また、この新群用乗場呼び制御部１６は、旧群用乗場呼び制御部１４から乗場呼びが消去された情報を受け、該当する新エレベータ側の乗場呼び釦１の応答灯を消灯する機能を有する。
【００８８】
旧群用乗場呼び制御部１４は、乗場呼びに対して旧エレベータを応答させたときに、その乗場呼びの消去と旧エレベータ側の乗場呼び釦２の応答灯を消灯すると共に、相手側である新群用乗場呼び制御部１６に乗場呼びを消去したことを示す情報を送信する機能を有する。また、この旧群用乗場呼び制御部１４は、新群用乗場呼び制御部１６から乗場呼びが消去された情報を受け、該当する旧エレベータ側の乗場呼び釦２の応答灯を消灯する機能を有する。
【００８９】
以下に、第４の実施形態の動作について説明する。  
図９は本発明の第４の実施形態におけるエレベータ群管理システムの群管理処理を示すフローチャートである。
【００９０】
今、新群管理側に着目して説明すると、まず、新群用乗場呼び制御部１６は、旧群用乗場呼び制御部１４から乗場呼び消去情報を受信したかどうかを確認する（ステップＳＴ４１）。旧群用乗場呼び制御部１４から乗場呼び消去情報を受信した場合には（ステップＳＴ４１のＹｅｓ）、新群用乗場呼び制御部１６は、その乗場呼び消去情報に基づいて当該階床における新エレベータ側の乗場呼び釦１の応答灯を消灯させて（ステップＳＴ４２）、ここでの処理を終了する。
【００９１】
例えば、旧群用乗場呼び制御部１４から１階の乗場呼び消去情報が送られたて来たとすると、新群用乗場呼び制御部１６は、同じく１階に設置された新エレベータ側の乗場呼び釦１を消灯することになる。
【００９２】
一方、旧群用乗場呼び制御部１４から乗場呼び消去情報を受信した場合には（ステップＳＴ４１のＮｏ）、新群用乗場呼び制御部１６は、新群管理側で乗場呼びの消去条件が成立しているか否かを確認する（ステップＳＴ４３）。乗場呼びの消去条件とは、乗場呼びのあった階床にエレベータが到着したことなどである。
【００９３】
乗場呼びの消去条件が成立している場合には（ステップＳＴ４３のＹｅｓ）、新群用乗場呼び制御部１６は、新群用乗場呼び登録部１７に登録された当該階床における乗場呼びの登録情報を消去すると共に、新エレベータ側の乗場呼び釦１の応答灯を消灯させる（ステップＳＴ４４）。その際に、新群用乗場呼び制御部１６は、乗場呼びの消去情報を旧群用乗場呼び制御部１４へ送って（ステップＳＴ４５）、ここでの処理を終了する。なお、上記乗場呼びの消去情報には、乗場呼びが消去された階床の情報に加えて、ＵＰ方向もしくはＤＯＷＮ方向の行先方向を示す情報が含まれる。
【００９４】
旧群管理側についても同様である。  
すなわち、まず、旧群用乗場呼び制御部１４は、新群用乗場呼び制御部１６から乗場呼び消去情報を受信したかどうかを確認する（ステップＳＴ４１）。新群用乗場呼び制御部１６から乗場呼び消去情報を受信した場合には（ステップＳＴ４１のＹｅｓ）、旧群用乗場呼び制御部１４は、その乗場呼び消去情報に基づいて当該階床における旧エレベータ側の乗場呼び釦２の応答灯を消灯させて（ステップＳＴ４２）、ここでの処理を終了する。
【００９５】
例えば、新群用乗場呼び制御部１６から１１階の乗場呼び消去情報が送られたて来たとすると、旧群用乗場呼び制御部１４は、同じく１１階に設置された旧エレベータ側の乗場呼び釦２を消灯することになる。
【００９６】
一方、新群用乗場呼び制御部１６から乗場呼び消去情報を受信した場合には（ステップＳＴ４１のＮｏ）、旧群用乗場呼び制御部１４は、旧群管理側で乗場呼びの消去条件が成立しているか否かを確認する（ステップＳＴ４３）。乗場呼びの消去条件とは、乗場呼びのあった階床にエレベータが到着したことなどである。
【００９７】
乗場呼びの消去条件が成立している場合には（ステップＳＴ４３のＹｅｓ）、旧群用乗場呼び制御部１４は、旧群用乗場呼び登録部１９に登録された当該階床における乗場呼びの登録情報を消去すると共に、旧エレベータ側の乗場呼び釦２の応答灯を消灯させる（ステップＳＴ４４）。その際に、旧群用乗場呼び制御部１４は、乗場呼びの消去情報を新群用乗場呼び制御部１６へ送って（ステップＳＴ４５）、ここでの処理を終了する。なお、上記乗場呼びの消去情報には、乗場呼びが消去された階床の情報に加えて、ＵＰ方向もしくはＤＯＷＮ方向の行先方向を示す情報が含まれる。
【００９８】
このように、第４の実施形態による手法を用いれば、一方の群管理装置側で乗場呼びが消去された際に、その群管理装置側の当該階床の乗場呼び釦と共に、他方の群管理装置側の当該階床の乗場呼び釦を消灯させることができる。
【００９９】
（第５の実施形態）
次に、本発明の第５の実施形態について説明する。
【０１００】
第５の実施形態では、新旧のエレベータの乗場呼びに対する運転サービスの低下状態を検出して分担設定用のテーブルＴＢの設定内容を動的に変更するようにしたものである。
【０１０１】
図１０は本発明の第５の実施形態に係るエレベータ群管理システムの構成を示す図である。なお、図１の構成と同一部分には同一符号を付して、その説明は省略するものとする。図１０において、図１の構成と異なる部分は、呼び登録検出部２１が追加されていることである。
【０１０２】
呼び登録検出部２１は、新群管理側または旧群管理側において、ある階床での乗場呼びに対する運転サービスが低下した場合に、新群用分担ゾーン設定部１５および旧群用分担ゾーン設定部１３の分担階の設定（テーブルＴＢ）を変更する機能を備える。
【０１０３】
以下に、第５の実施形態の動作について説明する。
【０１０４】
図１１は本発明の第５の実施形態におけるエレベータ群管理システムの平均待ち時間を用いた分担設定変更処理を示すフローチャートである。
【０１０５】
所定のタイミングで、呼び登録検出部２１は、まず、検出対象とする階床ｎ＝１として（ステップＳＴ５１）、そのｎ階の乗場呼びが登録されてからの応答時間、詳しくは、乗場呼びに割り当てられた新エレベータがｎ階に到着して乗場呼びが消去されるまでの平均待ち時間を算出する（ステップＳＴ５２）。そして、呼び登録検出部２１は、この算出した平均待ち時間が所定の時間ｔ以上であるか否かを判断する（ステップＳＴ５３）。上記所定の時間ｔとは、例えば３０秒であり、所謂「長待ち」に相当する時間である。
【０１０６】
ここで、平均待ち時間が所定の時間ｔ以上であった場合には（ステップＳＴ５３のＹｅｓ）、呼び登録検出部２１は、ｎ階での運転サービスが低下しているものと判断し、そのｎ階に対して新旧の両方のエレベータが応答するように、新群用分担ゾーン設定部１５および旧群用分担ゾーン設定部１３に対して設定変更を指示する（ステップＳＴ５４）。これにより、新群用分担ゾーン設定部１５および旧群用分担ゾーン設定部１３では、ｎ階に新旧の両方のエレベータを応答させるようにテーブルＴＢを更新処理する。
【０１０７】
以下同様にして、ｎの値を更新しながら、１階〜２０階までの各階床について、新旧のエレベータの応答時間から運転サービスが低下している階床を判断し、その階床に新旧の両方のエレベータを応答させるように分担情報の変更を行う（ステップＳＴ５５〜５６→ステップＳＴ５２）。
【０１０８】
図１２は分担設定用のテーブルＴＢの変更状態を示す図であり、図１２（ａ）は変更前、同図（ｂ）は変更後の設定内容を示している。
【０１０９】
すなわち、新群用分担ゾーン設定部１５および旧群用分担ゾーン設定部１３に共通に設けられるテーブルＴＢが図１２（ａ）に示すような内容であったとする。ここで、１階の乗場呼びに対する旧エレベータの応答が遅く、待ち時間が所定の時間ｔ以上となった場合には、同図（ｂ）に示すように、１階には旧エレベータだけでなく、新エレベータも応答するような設定に変更される。
【０１１０】
このように、第５の実施形態による手法を用いれば、新旧のエレベータが混在した状態で、ある階床での運転サービスが低下した場合に、その階床に対して新旧の両方のエレベータを応答させてサービス低下を補うことができる。
【０１１１】
なお、上記各実施形態において、乗場呼びは一般の呼びに限らず、例えば車椅子呼びなどの特定の呼びが含まれても同様に実施可能である。
【０１１２】
また、かご呼び（行先階の登録）に関しては特に述べていないが、利用客の使い勝手やエレベータの利用形態などを考慮して、乗場呼びと同様に新旧のエレベータで応答可能な階床を設定するようにしも良い。
【０１１３】
また、図３に示したように応答分担階を低層階と高層階で分ける設定や、図５に示したように偶数階と奇数階で分ける設定はこれに限らず、新旧の台数比率やエレベータの利用状況などによって新旧それぞれの分担階の比率を可変にしても良い。
【０１１４】
また、例えば出発基準階や昼食時間帯の食堂階などのように、時間などに応じて利用が集中する階床については、図６に示したように新旧のエレベータの両方が応答するような設定することが好ましい。
【０１１５】
また、複数の異なるテーブルＴＢを用意しておき、これらのテーブルＴＢを時間帯に応じて適宜切り替えるような構成にしても良い。これは、時間帯を取得する手段と、その時間帯に基づいて各テーブルＴＢを切り替える手段をエレベータ群管理システム１０に追加することで実現できる。
【０１１６】
また、本システムは、リニューアル工事期間での新旧のエレベータが混在した状態に限らず、例えば顧客のニーズなどにより、新旧のエレベータが混在した状態のままで運転を続けるような場合でも適用可能である。
【０１１７】
要するに本発明は上記各実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１１８】
【図１】図１は本発明の第１の実施形態に係るエレベータ群管理システムの構成を示す図である。
【図２】図２は上記エレベータ群管理システムが適用されるエレベータバンクの一例を示す図である。
【図３】図３は上記エレベータ群管理システムに用いられる新旧エレベータの分担設定用のテーブルの基本設定例を示す図である。
【図４】図４は本発明の第１の実施形態におけるエレベータ群管理システムの群管理処理を示すフローチャートである。
【図５】図５は上記エレベータ群管理システムに用いられる新旧エレベータの分担設定用のテーブルの別の設定例を示す図である。
【図６】図６は上記エレベータ群管理システムに用いられる新旧エレベータの分担設定用のテーブルの別の設定例を示す図である。
【図７】図７は本発明の第２の実施形態におけるエレベータ群管理システムの群管理処理を示すフローチャートである。
【図８】図８は本発明の第３の実施形態におけるエレベータ群管理システムの群管理処理を示すフローチャートである。
【図９】図９は本発明の第４の実施形態におけるエレベータ群管理システムの群管理処理を示すフローチャートである。
【図１０】図１０は本発明の第５の実施形態に係るエレベータ群管理システムの構成を示す図である。
【図１１】図１１は本発明の第５の実施形態におけるエレベータ群管理システムの平均待ち時間を用いた分担設定変更処理を示すフローチャートである。
【図１２】図１２は本発明の第５の実施形態における分担設定用のテーブルの変更状態を示す図である。
【符号の説明】
【０１１９】
１…新エレベータ側の乗場呼び釦、２…旧エレベータ側の乗場呼び釦、３…新エレベータ側の単体制御装置、４…新エレベータ側の乗りかご、５…旧エレベータ側の単体制御装置、６…旧エレベータ側の乗りかご、１０…エレベータ群管理システム、１１…新群管理制御装置、１２…旧群管理制御装置、１３…旧群用分担ゾーン設定部、１４…旧群用乗場呼び制御部、１５…新群用分担ゾーン設定部、１６…新群用乗場呼び制御部、１７…新群用乗場呼び登録部、１８…新群用割当制御部、１９…旧群用乗場呼び登録部、２０…旧群用割当制御部、２１…呼び登録検出部、ＴＢ…分担設定用のテーブル。
【図１】
2006188296.tif 000003
【図２】
2006188296.tif 000004
【図３】
2006188296.tif 000005
【図４】
2006188296.tif 000006
【図５】
2006188296.tif 000007
【図６】
2006188296.tif 000008
【図７】
2006188296.tif 000009
【図８】
2006188296.tif 000010
【図９】
2006188296.tif 000011
【図１０】
2006188296.tif 000012
【図１１】
2006188296.tif 000013
【図１２】
2006188296.tif 000014